(57)【特許請求の範囲】
【請求項１】
入射した光を変調する反射型光変調装置と、
前記反射型光変調装置に空気を送風するダクト部材と、を備え、
前記ダクト部材は、前記反射型光変調装置に空気を送風する送風ダクト部を有し、
前記送風ダクト部の一端側には、
前記反射型光変調装置において光が入射する側とは反対側の面に略直交する方向から前記反射型光変調装置に、内部の空気を送風する第１排出部と、
前記反射型光変調装置において光が入射する側とは反対側の面に沿う方向から前記反射型光変調装置に、内部の空気を送風する第２排出部と、が設けられている
ことを特徴とするプロジェクター。
【請求項２】
請求項１に記載のプロジェクターにおいて、
複数の前記反射型光変調装置と、
前記複数の反射型光変調装置にてそれぞれ変調された各色光を合成する色合成光学装置と、を備え、
前記ダクト部材は、前記複数の反射型光変調装置のうち、対応する反射型光変調装置に空気を送風する少なくとも１つの前記送風ダクト部を有する
ことを特徴とするプロジェクター。
【請求項３】
請求項２に記載のプロジェクターにおいて、
前記ダクト部材は、
前記少なくとも１つの送風ダクト部を有するダクト本体と、
前記ダクト本体に空気を導入する導入ダクト部と、を備える
ことを特徴とするプロジェクター。
【請求項４】
請求項３に記載のプロジェクターにおいて、
前記色合成光学装置は、
前記複数の反射型光変調装置にて変調された各色光がそれぞれ入射される複数の光入射面と、
前記複数の光入射面に交差する交差端面と、を有し、
前記ダクト部材は、前記交差端面に対向する位置に配設され、
前記少なくとも１つの送風ダクト部は、前記色合成光学装置の前記複数の光入射面に交差する方向に沿って延出し、
前記導入ダクト部は、前記少なくとも１つの送風ダクト部に交差する方向から前記ダクト本体に空気を導入する
ことを特徴とするプロジェクター。
【請求項５】
請求項４に記載のプロジェクターにおいて、
前記ダクト部材は、前記複数の反射型光変調装置のうち、対応する反射型光変調装置に空気をそれぞれ送風する第１ダクト部、第２ダクト部及び第３ダクト部を有し、
前記第１ダクト部、前記第２ダクト部及び前記第３ダクト部の少なくともいずれかは、前記送風ダクト部であり、
前記第１ダクト部、前記第２ダクト部及び前記第３ダクト部は、前記導入ダクト部から導入される空気が１つの分岐位置から前記第１ダクト部、前記第２ダクト部及び前記第３ダクト部のそれぞれに分岐する位置に配置される
ことを特徴とするプロジェクター。
【請求項６】
請求項５に記載のプロジェクターにおいて、
前記導入ダクト部は、空気が前記ダクト本体に導入される導入位置が前記分岐位置と一致する位置に配置される
ことを特徴とするプロジェクター。
【請求項７】
請求項３または請求項４に記載のプロジェクターにおいて、
前記ダクト部材は、前記複数の反射型光変調装置のうち、対応する反射型光変調装置に空気をそれぞれ送風する第１ダクト部、第２ダクト部及び第３ダクト部を有し、
前記第１ダクト部、前記第２ダクト部及び前記第３ダクト部の少なくともいずれかは、前記送風ダクト部であり、
前記第１ダクト部、前記第２ダクト部及び前記第３ダクト部は、前記導入ダクト部から導入される空気が前記第１ダクト部と前記第２ダクト部とに分岐し、前記第１ダクト部へ分岐された空気がさらに前記第３ダクト部に分岐する位置に配置される
ことを特徴とするプロジェクター。
【発明の詳細な説明】
【技術分野】
【０００１】
本発明は、プロジェクターに関する。
【背景技術】
【０００２】
従来、入射した光束を変調する光変調装置として、ＬＣＯＳ(Liquid Crystal On Silicon)等の反射型液晶パネル（反射型光変調装置）を採用したプロジェクターが知られている（例えば、特許文献１参照）。
特許文献１に記載のプロジェクターでは、Ｒ（赤），Ｇ（緑），Ｂ（青）の３つの色光に応じて反射型液晶パネルを３つ設け、各反射型液晶パネルにて変調された各色光を色合成光学装置にて合成し、投射レンズにてスクリーンに向けて投射している。
【先行技術文献】
【特許文献】
【０００３】
【特許文献１】特開２００９−３６８１９号公報
【発明の概要】
【発明が解決しようとする課題】
【０００４】
ところで、特許文献１に記載のプロジェクターにおいて、３つの反射型光変調装置の冷却構造としては、例えば、以下の構造が考えられる。
すなわち、反射型光変調装置に空気を送風するためのダクト部材として、３つの反射型光変調装置に応じてそれぞれ流路が独立した状態で３つ設ける。そして、各ダクト部材を介して各反射型光変調装置に空気を送風させる。
しかしながら、上述した冷却構造を採用した場合には、３つのダクト部材を設ける必要があるため、冷却構造全体が大型化し、プロジェクター内部の省スペース化が図れない、という問題がある。
【０００５】
本発明の目的は、複数の反射型光変調装置の冷却構造を小型化でき、内部の省スペース化が図れるプロジェクターを提供することにある。
【課題を解決するための手段】
【０００６】
本発明のプロジェクターは、入射した色光をそれぞれ変調する複数の反射型光変調装置と、前記複数の反射型光変調装置にて変調された各色光がそれぞれ入射する複数の光入射面を有し、入射した各色光を合成する色合成光学装置と、前記色合成光学装置における前記複数の光入射面に交差する交差端面に対向する位置に配設され、前記複数の反射型光変調装置に空気を送風するダクト部材と、を備え、前記ダクト部材は、各一端がそれぞれ連通し、各他端から前記複数の反射型光変調装置にそれぞれ空気を送風する複数の送風ダクト部を有するダクト本体と、前記ダクト本体に空気を導入する導入ダクト部と、を備えることを特徴とする。
【０００７】
本発明では、複数の反射型光変調装置の冷却構造として、上述したダクト部材を採用している。すなわち、各一端がそれぞれ連通した複数の送風ダクト部を有するダクト部材を採用しているので、導入ダクト部を介してダクト本体に空気を導入すれば、各送風ダクト部の連通位置から各送風ダクト部に向けて空気が分岐し、各他端から複数の反射型光変調装置にそれぞれ空気を送風できる。
したがって、冷却構造を単体のダクト部材で構成できるため、当該冷却構造を小型化でき、プロジェクター内部の省スペース化が図れる。
特に、ダクト部材は、プロジェクター内部のデッドスペースとなりやすい位置（色合成光学装置における交差端面に対向する位置）に配設されている。このため、複数の反射型光変調装置や色合成光学装置に対してダクト部材を組み付けた状態でも、大型化することがない。
【０００８】
本発明のプロジェクターでは、前記複数の送風ダクト部は、前記色合成光学装置の前記複数の光入射面に交差する方向に沿って延出し、前記導入ダクト部は、前記複数の送風ダクト部に交差する方向から前記ダクト本体に空気を導入することが好ましい。
本発明では、複数の送風ダクト部及び導入ダクト部が上述したように形成されているので、導入ダクト部を介してダクト本体に導入された空気は、ダクト本体内面に衝突して複数の光入射面に交差する方向に沿って分散し、各送風ダクト部にバランス良く送り込まれる。このため、３つの反射型光変調装置をバランス良く冷却できる。
例えば、導入ダクト部として、複数の送風ダクト部に平行する方向からダクト本体に空気を導入する構成を採用した場合には、複数の送風ダクト部のうち特定の送風ダクト部に空気が送り込まれ易い。このため、各送風ダクト部にバランス良く空気を送り込むには、ダクト本体内部に各送風ダクト部への空気の流通量を制御するためのリブ等を設ける必要がある。
これに対して、本願発明では、上述した構成により各送風ダクト部にバランス良く空気を送り込んでいるため、ダクト本体内部に各送風ダクト部への空気の流通量を制御する構成を設ける必要がなく、ダクト本体の構造の簡素化が図れる。
【０００９】
本発明のプロジェクターでは、前記複数の送風ダクト部は、第１送風ダクト部、第２送風ダクト部及び第３送風ダクト部を含み、前記第１送風ダクト部、前記第２送風ダクト部及び前記第３送風ダクト部は、前記導入ダクト部から導入される空気が１つの分岐位置から前記第１送風ダクト部、前記第２送風ダクト部及び前記第３送風ダクト部のそれぞれに分岐する位置に配置されることが好ましい。
本発明のプロジェクターでは、前記導入ダクト部は、空気が前記ダクト本体に導入される導入位置が前記分岐位置と一致する位置に配置されることが好ましい。
なお、本発明のプロジェクターでは、前記送風ダクト部は、３つ設けられ、前記ダクト本体は、空気の導入位置から前記３つの送風ダクト部のうちいずれかの送風ダクト部に向けて直線状に延びる第１流路を有し、前記３つの送風ダクト部のうち他の２つの送風ダクト部は、前記第１流路における流路方向の同一位置で前記第１流路にそれぞれ連通し、前記導入ダクト部は、前記導入位置が前記他の２つの送風ダクト部における前記第１流路への連通位置に略一致するように形成されていてもよい。
【００１０】
ところで、上述した３つの送風ダクト部のうち他の２つの送風ダクト部を、導入位置から外れた位置で、かつ、第１流路における流路方向の同一位置で第１流路にそれぞれ連通するように構成した場合には、以下の問題が生じる恐れがある。
すなわち、ダクト本体内部を流通する空気は、ダクト本体内面に衝突して交差端面に平行する平面に沿って分散しても、ダクト本体の内面にて規制され、第１流路に沿って強制的に流通することとなる。そして、前記他の２つの送風ダクト部が第１流路における流路方向の同一位置で第１流路にそれぞれ連通しているため、第１流路に沿って流通する空気は、流通過程で、前記他の２つの送風ダクト部に主に送り込まれることとなる。このため、残りの１つの送風ダクト部に向う空気の流通量が少なくなり、当該送風ダクト部に対応する反射型光変調装置の冷却効率が低下してしまう。
【００１１】
上記構成では、前記他の２つの送風ダクト部を、導入位置に略一致する位置で、かつ、第１流路における流路方向の同一位置で第１流路にそれぞれ連通するように構成している。
このことにより、ダクト本体内部を流通する空気は、ダクト本体内面に衝突して交差端面に平行する平面に沿って分散し、特定の送風ダクト部に多くの量が送り込まれることなく、３つの送風ダクト部にバランス良く送り込まれることとなる。このため、３つの反射型光変調装置をバランス良く冷却できる。
【００１２】
本発明のプロジェクターでは、前記複数の送風ダクト部は、第１送風ダクト部、第２送風ダクト部及び第３送風ダクト部を含み、前記第１送風ダクト部、前記第２送風ダクト部及び前記第３送風ダクト部は、前記導入ダクト部から導入される空気が前記第１送風ダクト部と前記第２送風ダクト部とに分岐し、前記第１送風ダクト部へ分岐された空気がさらに前記第３送風ダクト部に分岐する位置に配置されることが好ましい。
なお、本発明のプロジェクターでは、前記送風ダクト部は、３つ設けられ、前記ダクト本体は、空気の導入位置から前記３つの送風ダクト部のうちいずれかの送風ダクト部に向けて直線状に延びる第１流路を有し、前記３つの送風ダクト部のうち他の２つの送風ダクト部は、前記第１流路における流路方向の異なる位置で前記第１流路にそれぞれ連通していてもよい。
【００１３】
上記構成では、前記他の２つの送風ダクト部を、第１流路における流路方向の異なる位置で第１流路にそれぞれ連通するように構成している。
このことにより、導入ダクト部を介してダクト本体内部に導入され、第１流路に沿って流通した空気は、前記他の２つの送風ダクト部に主に送り込まれることがなく、３つの送風ダクト部に順にバランス良く送り込まれることとなる。このため、３つの反射型光変調装置をバランス良く冷却できる。
【００１４】
本発明のプロジェクターでは、前記複数の送風ダクト部のうち少なくとも１つの送風ダクト部の前記他端には、内部の空気を外部に排出し、前記反射型光変調装置に空気を送風する第１排出部及び第２排出部が設けられ、前記第１排出部及び前記第２排出部は、互いに異なる方向から前記反射型光変調装置に空気を送風することが好ましい。
【００１５】
本発明では、少なくとも１つの送風ダクト部の他端には、上述した第１排出部及び第２排出部が設けられている。
このことにより、例えば１つのみの排出部が形成され１方向からのみ反射型光変調装置に空気が送風される構成と比較して、反射型光変調装置の全体に満遍なく空気を送風することができ、反射型光変調装置の冷却効率を向上できる。
【００１６】
本発明のプロジェクターでは、前記第１排出部は、前記反射型光変調装置において光が入射する側とは反対側の面に略直交する方向から前記反射型光変調装置に空気を送風し、前記第２排出部は、前記反射型光変調装置において光が入射する側とは反対側の面に沿う方向から前記反射型光変調装置に空気を送風することが好ましい。
このことにより、反射型光変調装置において光が入射する側とは反対側の面に沿う方向から空気を送風する第２排出部と、反射型光変調装置において光が入射する側とは反対側の面に略直交する方向から空気を送風する第１排出部とにより、反射型光変調装置において光が入射する側とは反対側の面に衝突する空気の量を多くすることができ、反射型光変調装置を効果的に冷却できる。
【図面の簡単な説明】
【００１７】
【図１】第１実施形態におけるプロジェクターの概略構成を示す図。
【図２】第１実施形態における変調ユニットの構成を示す図。
【図３】第１実施形態におけるダクト部材の構成を示す図。
【図４】第１実施形態におけるダクト部材の構成を示す図。
【図５】第１実施形態におけるダクト部材の構成を示す図。
【図６】第１実施形態におけるダクト部材の構成を示す図。
【図７】第１実施形態におけるダクト部材と光学装置との位置関係を示す図。
【図８】第１実施形態におけるダクト部材と光学装置との位置関係を示す図。
【図９】第２実施形態におけるダクト部材の構成を示す図。
【図１０】第２実施形態におけるダクト部材の構成を示す図。
【図１１】第２実施形態におけるダクト部材の構成を示す図。
【図１２】第２実施形態におけるダクト部材の構成を示す図。
【発明を実施するための形態】
【００１８】
[第１実施形態]
以下、本発明の第１実施形態を図面に基づいて説明する。
〔プロジェクターの構成〕
図１は、プロジェクター１の概略構成を示す図である。具体的に、図１は、本願の要部である投射ユニット２の光学系を模式的に示した図である。
プロジェクター１は、画像を投射してスクリーン（図示略）上に投影画像を表示する。
このプロジェクター１は、図１に示すように、外装筐体（図示略）内部に収納される投射ユニット２を備える。
【００１９】
投射ユニット２は、光源装置（図示略）から出射され、ダイクロイックミラー等の色分離光学装置（図示略）で分離されたＲ（赤），Ｇ（緑），Ｂ（青）の各色光をそれぞれ変調し、変調した各色光を合成して投射するものである。
この投射ユニット２は、図１に示すように、光学装置３と、投射レンズ４と、ダクト部材５（図３、図４参照）とを備える。
【００２０】
〔光学装置の構成〕
図２は、光学装置３の構成を示す図である。具体的に、図２は、光学装置３におけるＲ色光側を分解した分解斜視図である。なお、Ｇ，Ｂ色光側については図示を省略したが、Ｒ色光側と同様の部材が配設されているものである。
光学装置３は、図１または図２に示すように、３つの変調ユニット３１と、クロスダイクロイックプリズム３２とを備える。
【００２１】
〔変調ユニットの構成〕
３つの変調ユニット３１は、同様の構成を有し、図１または図２に示すように、反射型偏光板としてのワイヤーグリッド３１１と、反射型光変調装置３１２と、偏光板３１３と、支持体３１４（図２）とを備える。
なお、以下では、説明の便宜上、Ｒ色光側のワイヤーグリッドを３１１Ｒ、Ｇ色光側のワイヤーグリッドを３１１Ｇ、Ｂ色光側のワイヤーグリッドを３１１Ｂとする（図１）。反射型光変調装置３１２も同様である。
【００２２】
〔ワイヤーグリッドの構成〕
ワイヤーグリッド３１１は、格子構造に基づく回折により入射した光束を偏光分離する。このワイヤーグリッド３１１は、図１または図２に示すように、支持体３１４により、入射光束の光軸に対して略４５°傾斜した状態で配置される。
そして、ワイヤーグリッド３１１は、入射した光束のうち、所定の偏光光（第１の直線偏光光）を透過させ、第１の直線偏光光の偏光方向に直交する偏光方向を有する偏光光（第２の直線偏光光）を反射させ、入射した光束を偏光分離する。
【００２３】
〔反射型光変調装置の構成〕
反射型光変調装置３１２は、図２に示すように、反射型液晶パネル３１２１と、保持枠３１２２と、ヒートシンク３１２３とを備える。この反射型光変調装置３１２は、図１または図２に示すように、支持体３１４により、ワイヤーグリッド３１１を透過した光束の光軸に対して略直交した状態で配置される。
反射型液晶パネル３１２１は、シリコン基板上に液晶が形成された所謂ＬＣＯＳで構成されている。
そして、反射型液晶パネル３１２１は、制御装置（図示略）から信号が入力されることで、前記液晶の配向状態が制御され、ワイヤーグリッド３１１を透過した偏光光の偏光方向を変調し、ワイヤーグリッド３１１に向けて反射する。反射型液晶パネル３１２１にて変調され、ワイヤーグリッド３１１に向けて反射された光束は、第２の直線偏光光と同一の偏光方向を有する偏光光のみがワイヤーグリッド３１１にて反射されてプリズム３２に向う。
【００２４】
保持枠３１２２は、反射型液晶パネル３１２１を保持する平面視矩形状の部材であり、金属等の熱伝導性材料から構成されている。
ヒートシンク３１２３は、金属等の熱伝導性材料から構成されている。このヒートシンク３１２３は、平面視矩形板状の基板３１２４と、基板３１２４から突出し、図２中、上下方向（後述するプリズム３２における一対の交差端面３２２が対向する方向、以下、対向方向Ｄ（図２））に沿って延びる複数のフィン３１２５とを備える。
そして、ヒートシンク３１２３は、保持枠３１２２の背面（反射型液晶パネル３１２１の反射面３１２１Ａ（図２）とは反対側の端面）に取り付けられ、反射型液晶パネル３１２１及び保持枠３１２２から熱が伝達され、複数のフィン３１２５から熱を放出する。
【００２５】
〔偏光板の構成〕
偏光板３１３は、反射型液晶パネル３１２１にて変調されワイヤーグリッド３１１にて反射された第２の直線偏光光の偏光方向と略同一の偏光方向を有する偏光光を透過させる。すなわち、ワイヤーグリッド３１１及び偏光板３１３の双方を用いることで、ワイヤーグリッド３１１にて所望の直線偏光光以外の偏光成分が反射された場合であっても、偏光板３１３にて前記偏光成分を除去する構成を採用している。
そして、偏光板３１３は、図１または図２に示すように、支持体３１４により、プリズム３２の光入射面３２１Ｒ，３２１Ｇ，３２１Ｂに対向するように配置される。
【００２６】
ここで、プリズム３２は、図１または図２に示すように、各偏光板３１３を透過した各色光がそれぞれ入射される３つの光入射面３２１Ｒ，３２１Ｇ，３２１Ｂを有し、入射した各色光を合成する。
このプリズム３２は、４つの直角プリズムを貼り合せた平面視略正方形状をなし、直角プリズム同士を貼り合せた界面には、２つの誘電体多層膜が形成されている。これら誘電体多層膜は、ワイヤーグリッド３１１Ｇにて反射されたＧ色光を透過し、各ワイヤーグリッド３１１Ｒ，３１１Ｂにて反射されたＲ，Ｂ色光をそれぞれ反射する。このようにして、各色光が合成される。そして、プリズム３２で合成された光束（画像）は、投射レンズ４にてスクリーンに向けて投射される。
なお、以下では、説明の便宜上、プリズム３２において、３つの光入射面３２１Ｒ，３２１Ｇ，３２１Ｂに交差する一対の端面を交差端面３２２（図１、図２）と記載する。
【００２７】
〔支持体の構成〕
支持体３１４は、ワイヤーグリッド３１１、反射型光変調装置３１２、及び偏光板３１３をそれぞれ支持する。
この支持体３１４は、図２に示すように、断面略直角二等辺三角形状を有する三角柱状の中空部材であり、斜面である第１側面３１４Ａ、頂角を挟む第２側面３１４Ｂ及び第３側面３１４Ｃを備える。そして、各側面３１４Ａ〜３１４Ｃには、開口部３１４Ｄ（図２）がそれぞれ形成されている。
【００２８】
第１側面３１４Ａには、ワイヤーグリッド３１１が固定される。
また、第２側面３１４Ｂには、反射型光変調装置３１２が固定される。
さらに、第３側面３１４Ｃには、偏光板３１３が固定される。
以上のように、各側面３１４Ａ〜３１４Ｃに各部材３１１〜３１３がそれぞれ固定されることで、各開口部３１４Ｄが閉塞され、支持体３１４内部の空間が密閉される。すなわち、この密閉空間内に反射型液晶パネル３１２１の反射面３１２１Ａが配置されることとなるので、反射面３１２１Ａへの粉塵の付着を防ぐことができ、反射面３１２１Ａに付着した粉塵が投影画像中に影として映る等の投影画像の劣化を防止できる。
【００２９】
〔ダクト部材の構成〕
図３ないし図６は、ダクト部材５の構成を示す図である。具体的に、図３は光学装置３が配置される側で、かつ、投射方向とは反対側（以下、背面側）からダクト部材５を見た斜視図であり、図４は光学装置３が配置される側とは反対側で、かつ、背面側からダクト部材５を見た斜視図である。図５はダクト部材５の内部（第１筐体５Ａ側）を背面側から見た斜視図であり、図６はダクト部材５の内部（第２筐体５Ｂ側）を背面側から見た斜視図である。
ダクト部材５は、プリズム３２における一方の交差端面３２２に対向する位置に設けられ、単体の冷却ファン（図示略）から吐出された空気を光学装置３に送風する。
そして、ダクト部材５は、図３ないし図６に示すように、２体に分割形成され、プリズム３２側に配設される第１筐体５Ａと、プリズム３２とは反対側に配設される第２筐体５Ｂとを組み合わせることで、中空状に形成されたものである。
【００３０】
このダクト部材５は、図３ないし図６に示すように、導入ダクト部６（図４、図６）と、ダクト本体７とを備える。
導入ダクト部６は、図４または図６に示すように、第２筐体５Ｂに設けられ、平面視矩形状の筒体で構成されている。
そして、導入ダクト部６は、第１筐体５Ａから離間する方向に延出し、前記冷却ファンから吐出された空気を、交差端面３２２に平行する平面に略直交する方向からダクト本体７に導入する。
【００３１】
図７及び図８は、ダクト部材５と光学装置３との位置関係を示す図である。具体的に、図７は、当該位置関係を光学装置３が配置される側から見た平面図である。図８は、Ｂ色光側の変調ユニット３１とダクト部材５との位置関係を投射方向側（以下、前面側）から見た斜視図である。
ダクト本体７は、図３ないし図８に示すように、交差端面３２２に平行する平面に沿って延出するように形成されている。
そして、ダクト本体７は、各一端１１Ａ，１２Ａ，１３Ａがそれぞれ連通し、各他端１１Ｂ，１２Ｂ，１３Ｂから３つの反射型光変調装置３１２にそれぞれ空気を送風する３つの第１〜第３送風ダクト部１１〜１３を備える。
【００３２】
第１送風ダクト部１１は、図７に示すように、平面視で、一端１１Ａから光入射面３２１Ｇに略直交する方向に延び、略９０°屈曲して他端１１Ｂまで延出する。そして、一端１１Ａ側は、プリズム３２の配設位置に対応する位置に位置付けられる。他端１１Ｂ側は、反射型光変調装置３１２Ｇの配設位置に対応する位置に位置付けられる。
この第１送風ダクト部１１の他端１１Ｂにおいて、第１筐体５Ａにおける反射型光変調装置３１２Ｇに対向する位置には、図３、図５、または図７に示すように、ダクト部材５内外を連通するＧ側排出口１１１が形成されている。
【００３３】
第２送風ダクト部１２は、図７に示すように、平面視で、一端１２Ａから光入射面３２１Ｂに略直交する方向に延び、前面側に略９０°屈曲して他端１２Ｂまで延出する。そして、一端１２Ａ側は、プリズム３２の配設位置に対応する位置に位置付けられる。他端１２Ｂ側は、反射型光変調装置３１２Ｂの配設位置に対応する位置に位置付けられる。
この第２送風ダクト部１２の他端１２Ｂにおいて、第１筐体５Ａにおける反射型光変調装置３１２Ｂに対向する位置には、図３、図５、図７、または図８に示すように、第１排出部１２１と、第２排出部１２２とが形成されている。
【００３４】
第１排出部１２１は、反射型光変調装置３１２Ｂと機械的に干渉することを避けながら、先端部分が反射型光変調装置３１２Ｂの背面に対向するように、対向方向Ｄに沿って膨出する。
この第１排出部１２１において、反射型光変調装置３１２Ｂに対向する位置には、図３に示すように、ダクト部材５内外を連通するＢ側排出口１２１Ａが形成されている。
第２排出部１２２は、ダクト部材５内外を連通する開口である。
この第２排出部１２２おける第１排出部１２１側の縁部分には、図３または図８に示すように、対向方向Ｄに沿って延びる整流リブ１２２Ａが形成されている。
【００３５】
第３送風ダクト部１３は、第２送風ダクト部１２と同様に構成され、平面視で後述する第１流路Ｒ１の流路方向を中心として第２送風ダクト部１２に対称となるように形成されている。そして、第３送風ダクト部１３の他端１３Ｂには、図３、図５、または図７に示すように、第１排出部１２１（Ｂ側排出口１２１Ａ）及び第２排出部１２２（整流リブ１２２Ａ）と同様の第１排出部１３１（Ｒ側排出口１３１Ａ）及び第２排出部１３２（整流リブ１３２Ａ）を有する。
【００３６】
また、ダクト部材５において、第１筐体５Ａにおけるプリズム３２の配設位置に対応する位置には、図３、図５、図７、または図８に示すように、平面視で各光入射面３２１Ｒ，３２１Ｇ，３２１Ｂを囲むように、ダクト部材５内外を連通する出射側排出部５Ａ１が形成されている。
【００３７】
〔ダクト部材内部の流路〕
次に、上述したダクト部材５内部を流通する空気の流路について図３〜図６、図８を参照して説明する。
先ず、前記冷却ファンから吐出された空気Ａｒは、図４ないし図６に示すように、導入ダクト部６を介して、交差端面３２２に平行する平面に略直交する方向からダクト本体７に導入され、第１筐体５Ａ内面（以下、導入位置Ｐ（図５））に衝突する。
そして、空気Ａｒは、第１筐体５Ａ内面に衝突することで、ダクト本体７内部において、交差端面３２２に平行する平面に沿って分散する。
【００３８】
分散した空気Ａｒの一部は、図５または図６に示すように、導入位置Ｐから光入射面３２１Ｇに略直交して第１送風ダクト部１１に向けて直線状に延びる第１流路Ｒ１に沿って流通する。
そして、第１流路Ｒ１に沿って流通する空気Ａｒの一部は、図３または図５に示すように、光入射面３２１Ｇに対応する位置に形成された出射側排出部５Ａ１を介してダクト部材５外部に排出される。排出された後の空気Ａｒは、光入射面３２１ＧとＧ色光側の偏光板３１３との間を対向方向Ｄに沿って流通し、Ｇ色光側の偏光板３１３を冷却する。
また、第１流路Ｒ１に沿って流通した後の空気Ａｒは、図５または図６に示すように、第１送風ダクト部１１内部に形成された曲線状の整流リブ１１２にて他端１１Ｂ側に整流され、Ｇ側排出口１１１を介してダクト部材５外部に排出される。排出された後の空気Ａｒは、対向方向Ｄに沿って流通しながら、反射型光変調装置３１２Ｇの背面、すなわち、ヒートシンク３１２３に送風され、反射型光変調装置３１２Ｇを冷却する。
【００３９】
また、分散した空気Ａｒの一部は、図５または図６に示すように、導入位置Ｐから光入射面３２１Ｂに略直交して第２送風ダクト部１２に向けて直線状に延びる第２流路Ｒ２に沿って流通する。
そして、第２流路Ｒ２に沿って流通する空気Ａｒの一部は、図３、図５、または図８に示すように、光入射面３２１Ｂに対応する位置に形成された出射側排出部５Ａ１を介してダクト部材５外部に排出される。排出された後の空気Ａｒは、図８に示すように、光入射面３２１ＢとＢ色光側の偏光板３１３との間を対向方向Ｄに沿って流通し、Ｂ色光側の偏光板３１３を冷却する。
【００４０】
また、第２流路Ｒ２に沿って流通する空気Ａｒの一部は、図５または図６に示すように、第２送風ダクト部１２内部に形成された案内リブ１２３にて第２排出部１２２に案内され、第２排出部１２２を介してダクト部材５外部に排出される。排出された後の空気Ａｒは、図８に示すように、対向方向Ｄに沿って流通しながら、反射型光変調装置３１２Ｂの背面、すなわち、ヒートシンク３１２３に送風され、反射型光変調装置３１２Ｂを冷却する。
なお、第２排出部１２２は、図７に示すように、平面視で、ヒートシンク３１２３の中心位置からずれた端部３１２３Ａ側に位置付けられている。このため、第２排出部１２２を介してダクト部材５外部に排出された空気Ａｒは、図８に示すように、ヒートシンク３１２３の端部３１２３Ａ側に送風されることとなる。
【００４１】
さらに、第２流路Ｒ２に沿って流通した後の空気Ａｒは、図５または図６に示すように、第２送風ダクト部１２内部に形成された曲線状の整流リブ１２４にて第１排出部１２１側に整流され、Ｂ側排出口１２１Ａを介してダクト部材５外部に排出される。排出された後の空気Ａｒは、図８に示すように、反射型光変調装置３１２Ｂの背面に略直交する方向に流通しながら、ヒートシンク３１２３に送風され、反射型光変調装置３１２Ｂを冷却する。
なお、第１排出部１２１は、図７に示すように、平面視で、ヒートシンク３１２３における端部３１２３Ａに対向する端部３１２３Ｂ側に位置付けられている。このため、Ｂ側排出口１２１Ａを介してダクト部材５外部に排出された空気Ａｒは、図８に示すように、ヒートシンク３１２３の端部３１２３Ｂ側に送風されることとなる。
以上のように、第２送風ダクト部１２は、反射型光変調装置３１２Ｂに対して異なる２方向から空気を送風して、反射型光変調装置３１２Ｂを冷却する。
【００４２】
また、分散した空気Ａｒの一部は、図５または図６に示すように、導入位置Ｐから第３送風ダクト部１３に向けて第２流路Ｒ２と逆方向に延びる第３流路Ｒ３に沿って流通する。
すなわち、第２，第３送風ダクト部１２，１３は、第１流路Ｒ１の流路方向の同一位置（導入位置Ｐに略一致する位置）で第１流路Ｒ１にそれぞれ連通している。
そして、第３流路Ｒ３に沿って流通する空気Ａｒは、第２流路Ｒ２に沿って流通する空気Ａｒと略同様に流通し、Ｒ色光側の偏光板３１３、反射型光変調装置３１２Ｒを冷却する。
【００４３】
上述した第１実施形態によれば、以下の効果がある。
本実施形態では、３つの反射型光変調装置３１２の冷却構造として、ダクト部材５を採用している。すなわち、導入ダクト部６を介してダクト本体７に空気を導入すれば、各送風ダクト部１１〜１３の連通位置から各送風ダクト部１１〜１３に向けて空気が分岐し、各他端１１Ｂ，１２Ｂ，１３Ｂから各反射型光変調装置３１２にそれぞれ空気を送風できる。
したがって、冷却構造を単体のダクト部材５で構成できるため、当該冷却構造を小型化でき、プロジェクター１内部の省スペース化が図れる。
特に、ダクト部材５は、プロジェクター１内部のデッドスペースとなりやすい位置（プリズム３２における交差端面３２２に対向する位置）に配設されている。このため、光学装置３に対してダクト部材５を組み付けた状態でも、大型化することがない。
【００４４】
また、導入ダクト部６は、交差端面３２２に平行する平面に沿って延出したダクト本体７に対して前記平面に交差する方向から空気を導入する。このことにより、導入ダクト部６を介してダクト本体７に導入された空気は、ダクト本体７内面に衝突して交差端面３２２に平行する平面に沿って分散し、各送風ダクト部１１〜１３にバランス良く送り込まれる。このため、３つの反射型光変調装置３１２をバランス良く冷却できる。
そして、上述した構成により各送風ダクト部１１〜１３にバランス良く空気を送り込んでいるため、ダクト本体７内部に各送風ダクト部１１〜１３への空気の流通量を制御する構成を設ける必要がなく、ダクト本体７の構造の簡素化が図れる。
【００４５】
さらに、第２，第３送風ダクト部１２，１３を、導入位置Ｐに略一致する位置で、かつ、第１流路Ｒ１における流路方向の同一位置で第１流路Ｒ１にそれぞれ連通するように構成している。
このことにより、ダクト本体７内部を流通する空気は、ダクト本体７内面に衝突して交差端面３２２に平行する平面に沿って分散し、特定の送風ダクト部に対して多くの量が送り込まれることがなく、３つの送風ダクト部１１〜１３にバランス良く送り込まれることとなる。このため、３つの反射型光変調装置３１２をバランス良く冷却できる。
【００４６】
また、第２，第３送風ダクト部１２，１３は、他端１２Ｂ，１３Ｂに第１排出部１２１，１３１及び第２排出部１２２，１３２が形成され、反射型光変調装置３１２に対して異なる２方向から空気を送風する。
このことにより、例えば１つのみの排出部が形成され１方向からのみ反射型光変調装置３１２に空気が送風される構成と比較して、反射型光変調装置３１２の背面全体に満遍なく空気を送風することができ、反射型光変調装置３１２の冷却効率を向上できる。
さらに、反射型光変調装置３１２の背面に沿う方向から空気を送風する第２排出部１２２，１３２の他、反射型光変調装置３１２の背面に略直交する方向から空気を送風する第１排出部１２１，１３１を設けることで、反射型光変調装置３１２の背面に衝突する空気の量を多くすることができ、反射型光変調装置３１２を効果的に冷却できる。
【００４７】
[第２実施形態]
次に、本発明の第２実施形態を図面に基づいて説明する。
以下の説明では、前記第１実施形態と同様の構造及び同一部材には同一符号を付し、その詳細な説明は省略または簡略化する。
図９ないし図１２は、第２実施形態におけるダクト部材５の構成を示す図である。具体的に、図９ないし図１２は、図３ないし図６と同様の方向から第２実施形態におけるダクト部材５を見た斜視図である。
本実施形態では、前記第１実施形態に対して、ダクト部材５において、第２，第３送風ダクト部１２，１３の第１流路Ｒ１への連通位置が異なるのみである。その他の構成は、前記第１実施形態と同様のものである。
【００４８】
具体的に、本実施形態では、前記第１実施形態に対して、図１１または図１２に示すように、第１排出部１２１，１３１に向けて空気Ａｒを整流する整流リブ１２４，１３４や、第２排出部１３２に空気Ａｒを案内する案内リブ１３３の形状を変更している。そして、各リブ１２４，１３３，１３４等の形状を変更することで、第２送風ダクト部１２（第１排出部１２１に向う流路）と第３送風ダクト部１３（第１排出部１３１に向う流路）とは、第１流路Ｒ１の流路方向の異なる位置で第１流路Ｒ１にそれぞれ連通する。
なお、ダクト部材５を介した各反射型光変調装置３１２への空気の流れは、図９ないし図１２に示すように、前記第１実施形態と略同様であるため、説明を省略する。
【００４９】
上述した第２実施形態によれば、前記第１実施形態と同様の効果の他、以下の効果がある。
本実施形態では、第２，第３送風ダクト部１２，１３を、第１流路Ｒ１における流路方向の異なる位置で第１流路Ｒ１にそれぞれ連通するように構成している。
このことにより、導入ダクト部６を介してダクト本体７内部に導入され、第１流路Ｒ１に沿って流通した空気は、第２，第３送風ダクト部１２，１３に主に送り込まれることがなく、３つの送風ダクト部１１〜１３に順にバランス良く送り込まれることとなる。このため、３つの反射型光変調装置３１２をバランス良く冷却できる。
【００５０】
なお、本発明は前述の実施形態に限定されるものではなく、本発明の目的を達成できる範囲での変形、改良等は本発明に含まれるものである。
前記各実施形態では、導入ダクト部６は、ダクト本体７に対して、交差端面３２２に平行する平面に交差する方向から空気を導入していたが、これに限らず、例えば、交差端面３２２に平行する方向から空気を導入するように構成しても構わない。
前記各実施形態では、第２，第３送風ダクト部１２，１３に第１排出部１２１，１３１及び第２排出部１２２，１３２が形成されていたが、これに限らず、３つの送風ダクト部１１〜１３のうちいずれか１つのみに形成してもよく、あるいは、３つの送風ダクト部１１〜１３の全てに形成しても構わない。
また、第１排出部１２１，１３１及び第２排出部１２２，１３２から反射型光変調装置３１２への送風方向は、前記各実施形態で説明した送風方向に限らず、互いに異なる方向であれば、いずれの方向でも構わない。
さらに、第１排出部１２１，１３１及び第２排出部１２２，１３２の２つのみ形成されていたが、これに限らず、３つ以上の排出部を形成しても構わない。
【００５１】
前記各実施形態では、透光性部材として偏光板３１３を採用していたが、これに限らず、透光性を有する部材であれば、その他の部材、例えば、ガラス等を採用しても構わない。
前記各実施形態では、反射型偏光板としてワイヤーグリッド３１１が用いられていたが、反射型偏光板であればその他の構成を採用しても構わない。
例えば、反射型偏光板として、誘電体多層膜によって形成される偏光分離素子、液晶材料等の屈折率異方性（複屈折性）を有する有機材料を層状に積層させた高分子系の層状偏光板、偏りのない光を右回りの円偏光と左回りの円偏光とに分離する円偏光反射板と１／４波長板を組み合わせた光学素子、ブリュースター角を利用して反射偏光光と透過偏光光とに分離する光学素子、あるいは、ホログラムを利用したホログラム光学素子等を採用しても構わない。
【産業上の利用可能性】
【００５２】
本発明は、プレゼンテーションやホームシアターに用いられるプロジェクターに利用できる。
【符号の説明】
【００５３】
１・・・プロジェクター、５・・・ダクト部材、６・・・導入ダクト部、７・・・ダクト本体、１１〜１３・・・送風ダクト部、１１Ａ，１２Ａ，１３Ａ・・・一端、１１Ｂ，１２Ｂ，１３Ｂ・・・他端、３２・・・クロスダイクロイックプリズム（色合成光学装置）、１２１，１３１・・・第１排出部、１２２，１３２・・・第２排出部、３１２・・・反射型光変調装置、３２１Ｒ，３２１Ｇ，３２１Ｂ・・・光入射面、３２２・・・交差端面、Ｐ・・・導入位置、Ｒ１・・・第１流路。
【図１】
0005625532.tif 000002
【図２】
0005625532.tif 000003
【図３】
0005625532.tif 000004
【図４】
0005625532.tif 000005
【図５】
0005625532.tif 000006
【図６】
0005625532.tif 000007
【図７】
0005625532.tif 000008
【図８】
0005625532.tif 000009
【図９】
0005625532.tif 000010
【図１０】
0005625532.tif 000011
【図１１】
0005625532.tif 000012
【図１２】
0005625532.tif 000013